(57)【要約】  使用状況に応じて遮光機能の程度を調整することが可能なアイマスクを提供する。アイマスク（１）は、本体部（１２）、本体部（１４）、固定部（２２）、及び固定部（２４）を備えている。本体部（１２，１４）は、装着者の目を覆う部分であり、互いに別体に設けられている。本体部（１２）の左右両側には、本体部（１２）を装着者の顔に固定するための固定部（２２）が設けられている。本体部（１４）の左右両側には、本体部（１４）を装着者の顔に固定するための固定部（２４）が設けられている。
2017187591.tif 000002
【特許請求の範囲】
【請求項１】
互いに別体に設けられ、装着者の目を覆う第１及び第２の本体部と、  前記第１の本体部の左右両側に設けられ、当該第１の本体部を前記装着者の顔に固定するための第１の固定部と、  前記第２の本体部の左右両側に設けられ、当該第２の本体部を前記装着者の顔に固定するための第２の固定部と、  を備えることを特徴とするアイマスク。
【請求項２】
請求項１に記載のアイマスクにおいて、  前記第２の本体部の遮光率は、前記第１の本体部の遮光率よりも低いアイマスク。
【請求項３】
請求項２に記載のアイマスクにおいて、  前記第２の本体部は、前記第１の本体部よりも薄いアイマスク。
【請求項４】
請求項１乃至３の何れかに記載のアイマスクにおいて、  前記第２の本体部は、前記第１の本体部よりも小さいアイマスク。
【請求項５】
請求項４に記載のアイマスクにおいて、  前記第１及び第２の本体部の中心が一致するようにして当該第１及び第２の本体部が重ね合わされた状態のとき、平面視で、前記第１の本体部の周囲全体が前記第２の本体部の外側に食み出るアイマスク。
【請求項６】
請求項１乃至５の何れかに記載のアイマスクにおいて、  前記第２の本体部の色は、前記第１の本体部の色と異なるアイマスク。
【請求項７】
請求項１乃至６の何れかに記載のアイマスクにおいて、  前記第１の固定部又は前記第２の固定部の少なくとも一方は、前記装着者の耳に掛けられるループ状の耳掛部材からなるアイマスク。
【請求項８】
請求項７に記載のアイマスクにおいて、  前記第１の固定部は、前記耳掛部材からなり、  前記第２の固定部は、前記耳掛部材に対して着脱可能な取付部材からなるアイマスク。
【請求項９】
請求項７に記載のアイマスクにおいて、  前記第２の固定部は、前記耳掛部材からなり、  前記第１の固定部は、前記耳掛部材に対して着脱可能な取付部材からなるアイマスク。
【請求項１０】
請求項８又は９に記載のアイマスクにおいて、  前記取付部材は、前記耳掛部材に結び付けられる一対の紐であるアイマスク。
【請求項１１】
請求項１乃至１０の何れかに記載のアイマスクにおいて、  前記第２の固定部の色は、前記第１の固定部の色と異なるアイマスク。
【請求項１２】
請求項１乃至１１の何れかに記載のアイマスクにおいて、  前記第１又は第２の本体部に対して着脱可能に設けられた保湿材を備えるアイマスク。
【請求項１３】
請求項１２に記載のアイマスクにおいて、  前記保湿材は、前記第１又は第２の本体部に貼付可能であるアイマスク。
【請求項１４】
請求項１２又は１３に記載のアイマスクにおいて、  前記第１又は第２の本体部は、前記保湿材を収納するポケットを有するアイマスク。
【請求項１５】
請求項１４に記載のアイマスクにおいて、  前記第１又は第２の本体部は、複数の前記ポケットを有するアイマスク。
【請求項１６】
請求項１２乃至１５の何れかに記載のアイマスクにおいて、  前記保湿材は、抗菌成分を含有するアイマスク。
【請求項１７】
請求項１乃至１６の何れかに記載のアイマスクにおいて、  前記第１及び第２の本体部とは別体に設けられ、装着者の目を覆う第３の本体部と、  前記第３の本体部の左右両側に設けられ、当該第３の本体部を前記装着者の顔に固定するための第３の固定部と、を備えるアイマスク。
【請求項１８】
請求項１７に記載のアイマスクにおいて、  前記第２の本体部の遮光率は、前記第１の本体部の遮光率よりも低く、  前記第３の本体部の遮光率は、前記第２の本体部の遮光率よりも低いアイマスク。
【請求項１９】
請求項１８に記載のアイマスクにおいて、  前記第２の本体部は、前記第１の本体部よりも薄く、  前記第３の本体部は、前記第２の本体部よりも薄いアイマスク。
【発明の詳細な説明】
【技術分野】
【０００１】  本発明は、アイマスクに関する。
【背景技術】
【０００２】  従来のアイマスクとしては、例えば特許文献１に記載されたものがある。同文献に記載されたアイマスクは、装着者の目を覆う本体部と、本体部を装着者の顔に固定するための耳掛部とを備えている。本体部は、遮光性材料から形成されている。耳掛部は、本体部の左右両側に取り付けられている。
【先行技術文献】
【特許文献】
【０００３】
【特許文献１】特開２００６−２７１９３７号公報
【発明の概要】
【発明が解決しようとする課題】
【０００４】  かかるアイマスクは、本体部で目を覆うことにより、目に入射しようとする光を遮断する機能（遮光機能）を有する。アイマスクに求められる遮光機能の程度は、当該アイマスクを使用する状況によって異なる。例えば、明るい場所でアイマスクを使用する場合には高い遮光機能が求められるが、薄暗い場所でアイマスクを使用する場合であれば低い遮光機能で足りる。しかしながら、特許文献１に記載されたアイマスクでは、使用状況に応じて遮光機能の程度を調整することができない。【０００５】  本発明は、上記課題に鑑みてなされたものであり、使用状況に応じて遮光機能の程度を調整することが可能なアイマスクを提供することを目的とする。
【課題を解決するための手段】
【０００６】  本発明によるアイマスクは、互いに別体に設けられ、装着者の目を覆う第１及び第２の本体部と、上記第１の本体部の左右両側に設けられ、当該第１の本体部を上記装着者の顔に固定するための第１の固定部と、上記第２の本体部の左右両側に設けられ、当該第２の本体部を上記装着者の顔に固定するための第２の固定部と、を備えることを特徴とする。【０００７】  このアイマスクにおいては、第１の本体部に加えて、第２の本体部が設けられている。第１及び第２の本体部には、それぞれ第１及び第２の固定部が設けられている。このため、第１又は第２の本体部の何れか一方のみが顔に固定された状態（第１の状態）でアイマスクを使用することも、第１及び第２の本体部の双方が顔に固定された状態（第２の状態）でアイマスクを使用することもできる。第２の状態では、第１の状態に比して、光が透過しにくくなり、アイマスクの遮光機能が高くなる。したがって、装着者は、使用状況に応じて第１の状態と第２の状態とを切り替えることにより、アイマスクの遮光機能の程度を調整することができる。
【発明の効果】
【０００８】  本発明によれば、使用状況に応じて遮光機能の程度を調整することが可能なアイマスクが実現される。
【図面の簡単な説明】
【０００９】
【図１】本発明によるアイマスクの第１実施形態を示す平面図である。
【図２】図１のアイマスクの本体部１２及び本体部１４が重ね合わされた状態を示す平面図である。
【図３】本発明によるアイマスクの第２実施形態を示す平面図である。
【図４】図３のアイマスクにおいて固定部２５が固定部２２に結び付けられた状態を示す平面図である。
【図５】本発明によるアイマスクの第３実施形態を示す平面図である。
【図６】本発明によるアイマスクの第４実施形態を示す平面図である。
【図７】変形例に係るアイマスクを示す平面図である。
【図８】図７のアイマスクの本体部１２、本体部１４及び本体部１６が重ね合わされた状態を示す平面図である。
【発明を実施するための形態】
【００１０】  以下、図面を参照しつつ、本発明の実施形態について詳細に説明する。なお、図面の説明においては、同一要素には同一符号を付し、重複する説明を省略する。（第１実施形態）
【００１１】  図１は、本発明によるアイマスクの第１実施形態を示す平面図である。アイマスク１は、本体部１２（第１の本体部）、本体部１４（第２の本体部）、固定部２２（第１の固定部）、及び固定部２４（第２の固定部）を備えている。
【００１２】  各本体部１２，１４は、シート状をしており、装着者の目を覆う。これらの本体部１２，１４は、互いに別体に設けられている。各本体部１２，１４は、遮光性を有する材料からなる。各本体部１２，１４の遮光率は、９５％以上であることが好ましく、９９％以上であることがより好ましい。ただし、本実施形態においては、本体部１４の遮光率が本体部１２の遮光率よりも低い。遮光率は、ＪＩＳ規格（ＪＩＳ Ｌ１０５５：２００９）に定められた遮光性試験方法のＡ法により測定することができる。また、本体部１４は、本体部１２よりも薄い。
【００１３】  各本体部１２，１４の材料としては、例えば、遮光性を有する不織布又は紙を用いることができる。本体部１２と本体部１４とは、同一の材料からなっていてもよいし、異なる材料からなっていてもよい。また、本体部１２と本体部１４とは、同一の色を有していてもよいし、異なる色を有していてもよい。
【００１４】  図２は、本体部１２及び本体部１４の中心が一致するようにして本体部１２及び本体部１４が重ね合わされた状態を示す平面図である。同図からわかるように、本体部１４は、本体部１２よりも小さい。すなわち、平面視で、本体部１４の面積は、本体部１２の面積よりも小さい。上記状態のとき、平面視で、本体部１２の周囲全体が本体部１４の外側に食み出る。
【００１５】  図１に戻って、本体部１２の左右両側には、本体部１２を装着者の顔に固定するための固定部２２が設けられている。同様に、本体部１４の左右両側には、本体部１４を装着者の顔に固定するための固定部２４が設けられている。これらの固定部２２，２４は、装着者の耳に掛けられるループ状の耳掛部材からなる。かかる耳掛部材としては、例えばゴム紐を用いることができる。固定部２２の色は、本体部１２の色と同一であってもよいし、異なっていてもよい。同様に、固定部２４の色は、本体部１４の色と同一であってもよいし、異なっていてもよい。また、固定部２２と固定部２４とは、同一の色を有していてもよいし、異なる色を有していてもよい。
【００１６】  アイマスク１の効果を説明する。アイマスク１においては、本体部１２に加えて、本体部１４が設けられている。本体部１２及び本体部１４には、それぞれ固定部２２及び固定部２４が設けられている。このため、本体部１２又は本体部１４の何れか一方のみが顔に固定された状態（第１の状態）でアイマスク１を使用することも、本体部１２及び本体部１４の双方が顔に固定された状態（第２の状態）でアイマスク１を使用することもできる。第２の状態では、本体部１２と本体部１４とが互いに重ね合わされた状態で装着者の目を覆う。この第２の状態では、第１の状態に比して、光が透過しにくくなり、アイマスク１の遮光機能が高くなる。
【００１７】  したがって、装着者は、使用状況に応じて第１の状態と第２の状態とを切り替えることにより、アイマスク１の遮光機能の程度を調整することができる。なお、第２の状態でアイマスク１を使用する場合、本体部１４は、本体部１２の内面側に配置されてもよいし、本体部１２の外面側に配置されてもよい。ここで、内面とは装着者の顔に対向する面をいい、外面とは内面の反対側の面をいう。
【００１８】  例えば、装着者は、明るい場所では遮光機能がより高い第２の状態でアイマスク１を使用する一方で、薄暗い場所では第１の状態でアイマスク１を使用することができる。第１の状態には、第２の状態に比して視界が暗くなりすぎないという利点がある。
【００１９】  本体部１４の遮光率は、本体部１２の遮光率よりも低い。このように遮光率の異なる本体部１２，１４が設けられていることにより、第１の状態でアイマスク１を使用する際、使用状況等に応じて適度な遮光率を有する本体部（本体部１２又は本体部１４）を選択することが可能となる。
【００２０】  本体部１４は、本体部１２よりも薄い。このように本体部１４の厚みを本体部１２の厚みよりも小さくすることにより、本体部１２及び本体部１４の材料として同一の材料を用いた場合であっても、本体部１２よりも低い遮光率を有する本体部１４を容易に実現することができる。
【００２１】  本体部１４は、本体部１２よりも小さい。このように大きさの異なる本体部１２，１４が設けられていることにより、第１の状態でアイマスク１を使用する際、装着者の顔の大きさ等に応じて適度な大きさの本体部（本体部１２又は本体部１４）を選択することが可能となる。
【００２２】  本体部１２及び本体部１４が重ね合わされた状態（図２参照）のとき、平面視で、本体部１２の周囲全体が本体部１４の外側に食み出る。このため、本体部１４が本体部１２の内面側に配置されるようにして第２の状態でアイマスク１を使用した場合、本体部１４の周囲全体を本体部１２で覆うことができる。これにより、本体部１４の周囲から光が差し込みにくくなる。
【００２３】  本体部１４の色が本体部１２の色と異なる場合、第１の状態でアイマスク１を使用する際、本体部１２又は本体部１４の何れを選択するかによって、装着者が異なる色相を知覚することになる。また、第１の状態又は第２の状態の何れでアイマスク１を使用するかによっても、装着者が異なる色相を知覚することになる。これにより、遮光機能のみならず、色相も調整することが可能なアイマスク１を実現することができる。
【００２４】  固定部２２は、装着者の耳に掛けられるループ状の耳掛部材からなる。これにより、装着者の顔に本体部１２を容易に固定することができる。また、固定部２４も、同様の耳掛部材からなる。これにより、装着者の顔に本体部１４を容易に固定することができる。
【００２５】  固定部２４の色が固定部２２の色と異なる場合、第２の状態でアイマスク１を使用する際、２色の耳掛部材が露出することになる。これにより、アイマスク１のファッション性が向上する。また、この場合、本体部１２に設けられた固定部（固定部２２）と、本体部１４に設けられた固定部（固定部２４）とを容易に見分けることができる。このため、第２の状態から第１の状態に切り替える際、本体部１２又は本体部１４の取外しをスムーズに行うことができる。（第２実施形態）
【００２６】  図３は、本発明によるアイマスクの第２実施形態を示す平面図である。アイマスク２は、本体部１２、本体部１４、固定部２２、及び固定部２５（第２の固定部）を備えている。本体部１２、本体部１４及び固定部２２の構成は、アイマスク１について説明したとおりである。
【００２７】  本体部１４の左右両側には、本体部１４を装着者の顔に固定するための固定部２５が設けられている。固定部２５は、固定部２２（耳掛部材）に対して着脱可能な取付部材からなる。本実施形態において取付部材は、固定部２２に結び付けられる一対の紐である。対をなしている２本の紐は、本体部１４における略同一の位置に取り付けられている。本体部１４の左右両側には、かかる紐が二対ずつ設けられている。図４に示すように、各対の紐を固定部２２に結び付けることにより、本体部１２を介して本体部１４を装着者の顔に固定することができる。アイマスク２のその他の構成は、アイマスク１と同様である。
【００２８】  アイマスク２の効果を説明する。アイマスク２においては、固定部２５が固定部２２に対して着脱可能な取付部材からなる。固定部２５を固定部２２に取り付けることにより、本体部１４を装着者の顔に固定することができる。このように固定部２５を耳に掛けることなく本体部１４を顔に固定することができるため、装着者の耳裏にかかる負担を軽減することができる。
【００２９】  上記取付部材は、固定部２２に結び付けられる一対の紐である。これにより、簡易な構成で、固定部２２に対して着脱可能な取付部材を実現することができる。アイマスク２のその他の効果は、アイマスク１と同様である。
【００３０】  なお、本実施形態においては、本体部１２に設けられた固定部（第１の固定部）が装着者の耳に掛けられるループ状の耳掛部材からなり、本体部１４に設けられた固定部（第２の固定部）が耳掛部材に対して着脱可能な取付部材からなる場合を例示した。しかし、第２の固定部が耳掛部材からなり、第１の固定部が取付部材からなっていてもよい。（第３実施形態）
【００３１】  図５は、本発明によるアイマスクの第３実施形態を示す平面図である。アイマスク３は、本体部１２、本体部１４、固定部２２及び固定部２４に加えて、保湿機能を有する保湿材４２を備えている。本実施形態においては、２つの保湿材４２が設けられている。保湿材４２は、本体部１２又は本体部１４に対して着脱可能に設けられている。保湿材４２は、各本体部１２，１４よりも小さいシート状をしており、本体部１２又は本体部１４に貼付可能である。具体的には、保湿材４２は、その片面に粘着剤が塗布されており、本体部１２，１４に貼付することも、本体部１２，１４から剥離することも可能である。
【００３２】  この保湿材４２は、各本体部１２，１４における任意の位置に貼付することができる。保湿材４２は、各本体部１２，１４の内面に貼付することが好ましい。また、保湿材４２は、本体部１２及び本体部１４の何れか一方にのみ貼付してもよいし、双方に貼付してもよい。図５は、保湿材４２が本体部１２にのみ貼付された場合を示している。同図において保湿材４２は、概ね、装着者の目に重なる部分に位置している。
【００３３】  保湿材４２としては、例えば、保湿成分を含有する液体を含浸させた不織布を用いることができる。保湿成分としては、例えば、コラーゲン、ヒアルロン酸、グリセリン類が挙げられる。
【００３４】  保湿材４２には、保湿成分と共に、抗菌成分が含有されていてもよい。抗菌成分としては、例えば、カテキンその他のタンニンが挙げられる。タンニンとしては、お茶やコーヒーに含有されているものを用いることができる。アイマスク３のその他の構成は、アイマスク１と同様である。
【００３５】  アイマスク３の効果を説明する。アイマスク３においては、保湿材４２が設けられている。このため、目元の肌の乾燥を効果的に防ぐことができる。しかも、この保湿材４２は、着脱可能に設けられている。これにより、アイマスク３は、保湿材４２が取り付けられた状態でも、取り外された状態でも使用することができるため、装着者にとっての利便性が高まる。
【００３６】  さらに、保湿材４２は、本体部１２，１４に貼付可能であるため、本体部１２，１４への着脱が容易である。また、保湿材４２を本体部１２，１４における任意の位置に貼付することができるため、装着者は、本体部１２，１４に取り付けられた保湿材４２の位置を変えることにより、保湿の程度を調整することができる。
【００３７】  保湿材４２は、複数設けられている。このため、装着者は、本体部１２，１４に取り付けられた保湿材４２の個数を変えることにより、保湿の程度を調整することができる。ただし、保湿材４２は、１つだけ設けられてもよい。
【００３８】  保湿材４２が抗菌成分を含有する場合、雑菌が繁殖するのを抑制することができるため、装着者は、より衛生的にアイマスク３を使用することができる。アイマスク３のその他の効果は、アイマスク１と同様である。（第４実施形態）
【００３９】  図６は、本発明によるアイマスクの第４実施形態を示す平面図である。アイマスク４は、本体部１２、本体部１４、固定部２２及び固定部２４に加えて、保湿機能を有する保湿材４４を備えている。本実施形態においては、２つの保湿材４４が設けられている。保湿材４４は、本体部１２又は本体部１４に対して着脱可能に設けられている。具体的には、本実施形態において本体部１２又は本体部１４はポケット４６を有しており、このポケット４６内に保湿材４４が出入自由に収納される。保湿材４４は、各本体部１２，１４よりも小さいシート状をしている。保湿材４４としては、保湿材４２と同様、保湿成分を含有する液体を含浸させた不織布を用いることができる。保湿材４４に抗菌成分が含有されていてもよいことは、保湿材４２と同様である。
【００４０】  ポケット４６は、各本体部１２，１４における任意の位置に設けることができる。ポケット４６は、各本体部１２，１４の内面に設けられることが好ましい。また、ポケット４６は、本体部１２及び本体部１４の何れか一方にのみ設けてもよいし、双方に設けてもよい。図６は、ポケット４６が本体部１２及び本体部１４の双方に設けられた場合を示している。同図において、保湿材４４は、本体部１２に設けられたポケット４６に収納されている。これらのポケット４６は、概ね、装着者の目に重なる部分に位置している。
【００４１】  ポケット４６の材料としては、例えば不織布を用いることができる。ポケット４６は、左右両端及び下端が各本体部１２，１４に接着される一方で、上端は各本体部１２，１４に接着されていない。したがって、ポケット４６は、その上端から保湿材４４を出し入れすることが可能な構造をしている。アイマスク４のその他の構成は、アイマスク１と同様である。
【００４２】  アイマスク４の効果を説明する。アイマスク４においては、保湿材４４が設けられている。このため、目元の肌の乾燥を効果的に防ぐことができる。しかも、この保湿材４４は、着脱可能に設けられている。これにより、アイマスク４は、保湿材４４が取り付けられた状態でも、取り外された状態でも使用することができるため、装着者にとっての利便性が高まる。
【００４３】  本体部１２，１４は、保湿材４４を収納するポケット４６を有している。このため、保湿材４４の着脱を容易に行うことができる。さらに、本実施形態においては、複数のポケット４６が設けられている。このため、装着者は、本体部１２，１４に取り付けられた保湿材４４の個数や位置を変えることにより、保湿の程度を調整することができる。ただし、ポケット４６は、１つだけ設けられてもよい。アイマスク４のその他の効果は、アイマスク３と同様である。
【００４４】  本発明は、上記実施形態に限定されるものではなく、様々な変形が可能である。上記実施形態においては、２つの本体部（本体部１２，１４）が設けられた場合を例示した。しかし、本体部は、例えば図７に示すように、３つ以上設けられていてもよい。同図においてアイマスク５は、本体部１２，１４に加えて、本体部１６（第３の本体部）を備えている。
【００４５】  本体部１６は、シート状をしており、装着者の目を覆う。本体部１６は、本体部１２，１４とは別体に設けられている。本体部１６は、遮光性を有する材料からなる。本体部１６の遮光率は、９５％以上であることが好ましく、９９％以上であることがより好ましい。ただし、本体部１６の遮光率は、本体部１４の遮光率よりも低い。また、本体部１６は、本体部１４よりも薄い。本体部１６は、本体部１２，１４と同一の色を有していてもよいし、異なる色を有していてもよい。本体部１６は、本体部１４よりも小さい。
【００４６】  本体部１６の左右両側には、本体部１６を装着者の顔に固定するための固定部２６（第３の固定部）が設けられている。固定部２６は、装着者の耳に掛けられるループ状の耳掛部材からなる。固定部２６の色は、本体部１６の色と同一であってもよいし、異なっていてもよい。固定部２６は、固定部２２，２４と同一の色を有していてもよいし、異なる色を有していてもよい。
【００４７】  図８は、本体部１２、本体部１４及び本体部１６の中心が一致するようにして本体部１２、本体部１４及び本体部１６が重ね合わされた状態を示す平面図である。同図に示すように、当該状態のとき、平面視で、本体部１４の周囲全体が本体部１６の外側に食み出る。
【００４８】  かかる構成の場合、本体部１２、本体部１４又は本体部１６の何れか１つのみが顔に固定された状態（第１の状態）、これらの何れか２つのみが顔に固定された状態（第２の状態）、及びこれらの全てが顔に固定された状態（第３の状態）の何れでもアイマスク５を使用することができる。第３の状態では、本体部１２、本体部１４及び本体部１６が互いに重ね合わされた状態で装着者の目を覆う。第２の状態では、第１の状態に比して、光が透過しにくくなり、アイマスク５の遮光機能が高くなる。さらに、第３の状態では、第２の状態に比して、光が透過しにくくなり、アイマスク５の遮光機能が高くなる。したがって、装着者は、使用状況に応じて第１、第２又は第３の状態を切り替えることにより、アイマスク５の遮光機能の程度を調整することができる。
【００４９】  アイマスク５においては、このように３つの状態間での切替えが可能であるため、２つの状態間での切替えしかできない場合よりも、遮光機能の程度を細かく調整することができる。
【００５０】  なお、アイマスク５においては、本体部１２に設けられた固定部（第１の固定部）、本体部１４に設けられた固定部（第２の固定部）及び本体部１６に設けられた固定部（第３の固定部）の全てが、装着者の耳に掛けられるループ状の耳掛部材からなっている。しかし、第１、第２及び第３の固定部の何れか１つ又は２つは、耳掛部材に対して着脱可能な取付部材からなっていてもよい。
【００５１】  上記実施形態においては、本体部１４が本体部１２よりも小さい場合を例示した。しかし、本体部１４は、本体部１２と同一の大きさをしていてもよい。同様に、図７に示した本体部１６は、本体部１４と同一の大きさをしていてもよい。
【００５２】  上記実施形態においては、本体部１４の厚みが本体部１２の厚みよりも小さい場合を例示した。しかし、本体部１４の厚みは、本体部１２の厚みに等しくてもよいし、本体部１２の厚みより大きくてもよい。同様に、図７に示した本体部１６の厚みは、本体部１４の厚みに等しくてもよいし、本体部１４の厚みより大きくてもよい。
【００５３】  上記実施形態においては、本体部１４の遮光率が本体部１２の遮光率よりも低い場合を例示した。しかし、本体部１４の遮光率は、本体部１２の遮光率に等しくてもよいし、本体部１２の遮光率より高くてもよい。同様に、図７に示した本体部１６の遮光率は、本体部１４の遮光率に等しくてもよいし、本体部１４の遮光率より高くてもよい。
【符号の説明】
【００５４】１  アイマスク２  アイマスク３  アイマスク４  アイマスク５  アイマスク１２  本体部（第１の本体部）１４  本体部（第２の本体部）１６  本体部（第３の本体部）２２  固定部（第１の固定部）２４  固定部（第２の固定部）２５  固定部（第２の固定部）２６  固定部（第３の固定部）４２  保湿材４４  保湿材４６  ポケット
【図１】
2017187591.tif 000003
【図２】
2017187591.tif 000004
【図３】
2017187591.tif 000005
【図４】
2017187591.tif 000006
【図５】
2017187591.tif 000007
【図６】
2017187591.tif 000008
【図７】
2017187591.tif 000009
【図８】
2017187591.tif 000010
【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
互いに別体に設けられ、装着者の目を覆う第１及び第２の本体部と、
前記第１の本体部の左右両側に設けられ、当該第１の本体部を前記装着者の顔に固定するための第１の固定部と、
前記第２の本体部の左右両側に設けられ、当該第２の本体部を前記装着者の顔に固定するための第２の固定部と、を備え、
前記第１及び第２の固定部の一方は、前記装着者の耳に掛けられるループ状の耳掛部材からなり、
前記第１及び第２の固定部の他方は、前記耳掛部材に結び付けられる一対の紐からなり、
前記一対の紐は、前記第１又は第２の本体部における略同一の位置に取り付けられていることを特徴とするアイマスク。
【請求項２】
請求項１に記載のアイマスクにおいて、
前記第２の本体部の遮光率は、前記第１の本体部の遮光率よりも低いアイマスク。
【請求項３】
請求項２に記載のアイマスクにおいて、
前記第２の本体部は、前記第１の本体部よりも薄いアイマスク。
【請求項４】
請求項１乃至３の何れかに記載のアイマスクにおいて、
前記第２の本体部は、前記第１の本体部よりも小さいアイマスク。
【請求項５】
請求項４に記載のアイマスクにおいて、
前記第１及び第２の本体部の中心が一致するようにして当該第１及び第２の本体部が重ね合わされた状態のとき、平面視で、前記第１の本体部の周囲全体が前記第２の本体部の外側に食み出るアイマスク。
【請求項６】
請求項１乃至５の何れかに記載のアイマスクにおいて、
前記第２の本体部の色は、前記第１の本体部の色と異なるアイマスク。
【請求項７】
請求項１乃至６の何れかに記載のアイマスクにおいて、
前記第２の固定部の色は、前記第１の固定部の色と異なるアイマスク。
【請求項８】
請求項１乃至７の何れかに記載のアイマスクにおいて、
前記第１又は第２の本体部に対して着脱可能に設けられた保湿材を備えるアイマスク。
【請求項９】
請求項８に記載のアイマスクにおいて、
前記保湿材は、前記第１又は第２の本体部に貼付可能であるアイマスク。
【請求項１０】
請求項８又は９に記載のアイマスクにおいて、
前記第１又は第２の本体部は、前記保湿材を収納するポケットを有するアイマスク。
【請求項１１】
請求項１０に記載のアイマスクにおいて、
前記第１又は第２の本体部は、複数の前記ポケットを有するアイマスク。
【請求項１２】
請求項８乃至１１の何れかに記載のアイマスクにおいて、
前記保湿材は、抗菌成分を含有するアイマスク。
【請求項１３】
請求項１乃至１２の何れかに記載のアイマスクにおいて、
前記第１及び第２の本体部とは別体に設けられ、装着者の目を覆う第３の本体部と、
前記第３の本体部の左右両側に設けられ、当該第３の本体部を前記装着者の顔に固定するための第３の固定部と、を備えるアイマスク。
【請求項１４】
請求項１３に記載のアイマスクにおいて、
前記第２の本体部の遮光率は、前記第１の本体部の遮光率よりも低く、
前記第３の本体部の遮光率は、前記第２の本体部の遮光率よりも低いアイマスク。
【請求項１５】
請求項１４に記載のアイマスクにおいて、
前記第２の本体部は、前記第１の本体部よりも薄く、
前記第３の本体部は、前記第２の本体部よりも薄いアイマスク。
【国際調査報告】
2017187591.tif 000011
2017187591.tif 000012
2017187591.tif 000013
2017187591.tif 000014